(57)【要約】      （修正有）【課題】埃やゴミの溜まり易い環境下においてもトラッキング防止効果が改善された電源コンセント及び変換アダプターを提供する。【解決手段】電源プラグの２つの電極端子が差し込まれる２つの差込口１１を有する電源コンセント１において、２つの差込口の間隔が２０ｍｍ以上とする。また、変換アダプターは、電極コンセントの差込口に差込可能な２０ｍｍ以上の間隔の電極端子を有すると共に、現行規格の１３．５ｍｍ間隔の電源プラグの電極端子が差込可能な間隔の差込口を有する構成とする。【選択図】図１
0003201745.tif 000002
【実用新案登録請求の範囲】
【請求項１】
電源プラグの２つの電極端子が差し込まれる２つの差込口を有する電源コンセントにおいて、
前記２つの差込口の間隔が２０ｍｍ以上であることを特徴とする電源コンセント。
【請求項２】
前記２つの差込口の間隔が２５ｍｍ以上であることを特徴とする請求項１に記載の電源コンセント。
【請求項３】
電源プラグの２つの電極端子の間隔が現行規格の１３．５ｍｍから２０ｍｍ以上に規格変更されるまで、請求項１又は２に記載の電源コンセントに現行規格の電源プラグを用いるための変換アダプターであって、
該アダプターが、前記電極コンセントの差込口に差込可能な２０ｍｍ以上の間隔の電極端子を有すると共に、現行規格の１３．５ｍｍ間隔の電源プラグの電極端子を差込可能な１３．５ｍｍ間隔の差込口を有する構成であることを特徴とする電源コンセント用の変換アダプター。
【請求項４】
前記電極端子の間隔が２５ｍｍ以上であることを特徴とする請求項３に記載の電源コンセント用の変換アダプター。
【請求項５】
前記変換アダプターの電源コンセントに相対する面に凹溝が形成された構成であることを特徴とする請求項３又は４に記載の電源コンセント用の変換アダプター。
【請求項６】
前記変換アダプターの電源プラグに相対する面に凹溝が形成された構成であることを特徴とする請求項３〜５のいずれかに記載の電源コンセント用の変換アダプター。
【考案の詳細な説明】
【技術分野】
【０００１】
本考案は電源コンセント及び変換アダプターに関し、詳しくは、トラッキング防止に有効な新たに提案する規格の電源コンセントと、この新提案規格の電源コンセントに現行規格の電源プラグを用いるための変換アダプターに関する。
【背景技術】
【０００２】
電源プラグを電源コンセントの差込口に差し込んだまま長期間使用した場合、電源プラグとコンセントとの間に付着堆積した埃やゴミが水分を含むことによって電源プラグの２つの電極端子間に電流が流れてしまうこと、即ち、トラッキングが発生することがある。このトラッキングは火災の発生原因の一つでもあり、大きな問題になっている。
【０００３】
そこで、２つの電極端子間の電源プラグ側の面に溝を設けることによって、埃やゴミの付着堆積を抑制して上記したトラッキングを防止しようとする技術が既に提案されている（例えば、特許文献１等参照）。
【先行技術文献】
【特許文献】
【０００４】
【特許文献１】特開２００６−３０２８２３号
【考案の概要】
【考案が解決しようとする課題】
【０００５】
特許文献１に記載の技術は、電極端子間に設けられた電源プラグ側の面の溝の存在によって、この溝がない従来品に比べれば埃やゴミが堆積し難くく、トラッキング防止効果が見られる場合もある。
【０００６】
しかし、埃やゴミが特に溜まり易い環境下であるテレビ・冷蔵庫等の家電製品の裏側に配置される電源コンセントに用いた場合は埃やゴミの付着堆積は避けられず、根本的な解決には至っていないのが実情である。
【０００７】
そこで本考案の目的は、埃やゴミの溜まり易い環境下においてもトラッキング防止効果が改善された電源コンセント及び変換アダプターを提供することにある。
【課題を解決するための手段】
【０００８】
上記課題を解決する本考案は下記構成を有する。
【０００９】
１．電源プラグの２つの電極端子が差し込まれる２つの差込口を有する電源コンセントにおいて、
前記２つの差込口の間隔が２０ｍｍ以上であることを特徴とする電源コンセント。
【００１０】
２．前記２つの差込口の間隔が２５ｍｍ以上であることを特徴とする上記１に記載の電源コンセント。
【００１１】
３．電源プラグの２つの電極端子の間隔が現行規格の１３．５ｍｍから２０ｍｍ以上に規格変更されるまで、上記１又は２に記載の電源コンセントに現行規格の電源プラグを用いるための変換アダプターであって、
該アダプターが、前記電極コンセントの差込口に差込可能な２０ｍｍ以上の間隔の電極端子を有すると共に、現行規格の１３．５ｍｍ間隔の電源プラグの電極端子を差込可能な１３．５ｍｍ間隔の差込口を有する構成であることを特徴とする電源コンセント用の変換アダプター。
【００１２】
４．前記電極端子の間隔が２５ｍｍ以上であることを特徴とする上記３に記載の電源コンセント用の変換アダプター。
【００１３】
５．前記変換アダプターの電源コンセントに相対する面に凹溝が形成された構成であることを特徴とする上記３又は４に記載の電源コンセント用の変換アダプター。
【００１４】
６．前記変換アダプターの電源プラグに相対する面に凹溝が形成された構成であることを特徴とする上記３〜５のいずれかに記載の電源コンセント用の変換アダプター。
【考案の効果】
【００１５】
請求項１に示す考案によれば、埃やゴミの溜まり易い環境下においてもトラッキング防止効果が改善された電源コンセントを提供することにある。
【００１６】
特に、２つの差込口の間隔が、現行規格の１３．５ｍｍに比べて著しく広いので、この２つの差込口に差し込んだ２つの電極端子間のトラッキングの発生を著しく抑制することができる。従って、安全性の高い電源コンセントを提供することができる。
【００１７】
請求項２に示す考案によれば、２つの差込口に差し込んだ２つの電極端子間のトラッキングの発生をより抑制することができる。従って、極めて安全性の高い電源コンセントを提供することができる。
【００１８】
請求項３に示す考案によれば、電源プラグの電極端子の間隔が現行規格の１３．５ｍｍから２０ｍｍ以上に規格変更されるまでの期間であっても上記の電源コンセントを用いることができる。
【００１９】
請求項４に示す考案によれば、電源プラグの電極端子の間隔が現行規格の１３．５ｍｍから２５ｍｍ以上に規格変更されるまでの期間であっても上記の電源コンセントを用いることができる。
【００２０】
請求項５に示す考案によれば、電源コンセントと変換アダプターとの間への埃やゴミの堆積付着を抑制することができる。
【００２１】
請求項６に示す考案によれば、電源プラグと変換アダプターとの間に埃やゴミの堆積付着を抑制することができる。
【図面の簡単な説明】
【００２２】
【図１】本考案に係る電源コンセントの一実施例を示す正面図
【図２】図１に示す電源コンセントに用いられる電源プラグの一例を示す４面図（正面図、平面図、底面図、左側面図）
【図３】図１に示す電源コンセントの使用例の一例を示す概略説明図
【図４】本考案に係る変換アダプターの一実施例を示す４面図（正面図、平面図、底面図、左側面図）
【図５】図１に示す電源コンセントと図４に示す変換アダプターの使用例の一例を示す概略説明図
【図６】本考案に係る変換アダプターの第２実施例を示す４面図（正面図、平面図、底面図、左側面図）
【図７】本考案に係る変換アダプターの第３実施例を示す４面図（正面図、平面図、底面図、左側面図）
【考案を実施するための形態】
【００２３】
次に、添付の図面に従って本考案について詳細に説明する。
【００２４】
本考案に係る電源コンセントは、電源コンセントの差込口及び電源プラグの電極端子の間隔が現行規格の１３．５ｍｍに替わるものとして、トラッキング防止に有効な２０ｍｍ以上の幅を有する新たな規格の電源コンセントを提案するものであり、その具体的構成としては、図１、並びに図２及び図３に示すように、
電源プラグ２の２つの電極端子２１・２１が差し込まれる２つの差込口１１・１１を有する電源コンセント１において、
前記２つの差込口１１・１１の間隔が２０ｍｍ以上の構成を有するものである。
尚、差込口１１・１１の間隔以外の他の構成は公知公用の電源コンセントと同様の構成を特別の制限なく採ることができ、例えば、アース付きの構成についても本考案に包含される。
【００２５】
更に、本考案の電源コンセント１は、２つの差込口子１１・１１の間隔が２５ｍｍ以上であることが好ましく、とりわけ好ましくは現行規格の１３．５ｍｍの２倍である２６ｍｍ又は２７ｍｍである。かかる構成によれば、現行規格の１３．５ｍｍに比べて著しく広いので、この２つの差込口１１・１１に差し込んだ電極端子２１・２１間のトラッキングの発生を著しく抑制することができ、安全性の高い電源コンセント１を提供することができる。
【００２６】
以上の構成を有する本考案の電源コンセント１に好ましく用いられる新提案規格の電源プラグとしては、例えば、図２及び図３に示すものを挙げることができる。
【００２７】
図２及び図３に示す電源プラグ２は、新提案規格を有する本考案の電源コンセント１に適応する規格を有するものであり、電極端子２１・２１の間隔は前記電源コンセント１の差込口１１・１１の間隔と同じ間隔、即ち、２０ｍｍ以上の構成を有するものである。
【００２８】
また、前記電源コンセント１の差込口１１・１１の間隔が２５ｍｍ以上である場合や、２６ｍｍ又は２７ｍｍである場合には、電源プラグ２の電極端子２１・２１の間隔も同様に、２５ｍｍ以上や、２６ｍｍ又は２７ｍｍに設定される。
【００２９】
図２において、符号２２はケース体、符号２２Ａは電極端子２１・２１間のケース体２に設けられた二股部、符号５は電源コード、符号２３は電源コード５の挿通部を各々示す。特に、ケース体２２はＹ字状に形成することにより、２つの電極端子２１・２１の間隔が離れるだけでなく、図３に示すように、二股部２２Ａが設けられることによって電源コンセント１と相対する面との間に大きな間隙Ａ１が生じ、この間隙Ａ１によって埃やゴミの付着堆積が困難となり、トラッキングの発生を効果的に抑制することができる。
【００３０】
以上、本考案に係る電源コンセントについて実施例に基づき説明したが、本考案の電源コンセントは電源プラグの電極端子の間隔が上記した２０ｍｍ以上に規格変更されるまでは使用できないため、現行規格の１３．５ｍｍから本明細書において新たに提案している２０ｍｍ以上に規格変更されるまでの期間は変換アダプターを用いることが好ましい。
【００３１】
上記の電源プラグに用いることができる本考案の変換アダプターについて図４及び図５に基づき説明する。
【００３２】
本考案の変換アダプター３は、前記電極コンセント１の差込口１１・１１に差込可能な２０ｍｍ以上の間隔の電極端子３１・３１を有すると共に、現行規格の１３．５ｍｍ間隔の電源プラグ６の電極端子を差込可能な１３．５ｍｍ間隔の差込口３３・３３を有する構成である。尚、符号３２は変換アダプター３のケース体である。
【００３３】
更に、本考案の変換アダプター３の２つの電極端子３１・３１の間隔は上記した本考案の電源コンセント１の２つの差込口１１・１１の間隔に対応する間隔を有するものである。従って、上記した電源コンセント１と同様に、電極端子３１・３１の間隔は２５ｍｍ以上であることが好ましく、とりわけ好ましくは現行規格の１３．５ｍｍの２倍である２６ｍｍ又は２７ｍｍである。
【００３４】
ケース体３２の材質としては、この種の電源プラグ変換アダプターのケース体として公知公用のものを特別の制限なく用いることができる。
【００３５】
またケース体３２には、電源コンセント１に相対する面に凹溝３２Ａが形成されていることが好ましい。かかる構成によれば、電源コンセント１と変換アダプター３との間に間隙Ａ２が生じ、この間隙Ａ２によって埃やゴミの付着堆積を抑制することができる。
【００３６】
更にケース体３２には、現行規格の電源プラグ６に相対する面に凹溝３２Ｂが形成されていることが好ましい。かかる構成によれば、電源プラグ６と変換アダプター３との間に間隙Ｂが生じ、この間隙Ｂによって埃やゴミの堆積付着を抑制することができる。
【００３７】
以上、本考案に係る電源コンセントと変換アダプターについて説明したが、本考案は上記した実施例に限定されず、本考案の範囲内において他の態様を採ることができる。
【００３８】
例えば、変換アダプター３のケース体３２の凹溝３２Ａ・３２Ｂは図４及び図５の実施例に示した曲線状に限らず、図６に示す第２実施例のように矩形状であってもよい。
【００３９】
また、図７に示す第３実施例のように、差込方向のケース体３２の長さを短くしたコンパクトタイプの構成であってもよい。かかる構成によれば、壁面等に設置される電源コンセント１に差し込んだ際、壁からの突出を少なくすることができる。
【００４０】
更に、変換アダプター３は、電極端子３１部分がケース体３２に対して回動可能に取り付けられた構成とすることもできる。かかる構成によれば、電源コンセント１への差込方向に対するケース体３２の向きを差込方向と一致させる以外に該差込方向と直行する方向であって且つ上方向又は下方向に回動させた状態にすることができるので、電源コード５の取り回し方向を適宜変更することが可能になる。
【符号の説明】
【００４１】
１  電源コンセント
１１  差込口
２  電源プラグ（新提案規格）
２１  電極端子
２２  ケース体
２２Ａ  二股部
２３  挿通部
３  変換アダプター
３１  電極端子
３２  ケース体
３２Ａ  凹溝
３２Ｂ  凹溝
３３  差込口
４  壁面
５  電源コード
６  電源プラグ（現行規格）
Ａ１  間隙
Ａ２  間隙
Ｂ  間隙
【図１】
0003201745.tif 000003
【図２】
0003201745.tif 000004
【図３】
0003201745.tif 000005
【図４】
0003201745.tif 000006
【図５】
0003201745.tif 000007
【図６】
0003201745.tif 000008
【図７】
0003201745.tif 000009